(57)【特許請求の範囲】
【請求項１】
先端及び基端を有し、前記基端に鍔部が設けられているシリンダを成形するためのシリンダ成形用金型であって、
互いに対向する面をもち、互いの対向面が重ね合わされた状態で互いに型締めされる一対の金型部と、
前記一対の金型部のうちいずれか一方の金型部に設けられ、先端が他方の金型部に向かって伸びるように設けられたコアと、
前記一対の金型部が型締めされたときに前記他方の金型部側に前記コアが収容されることによって形成され、前記一方の金型部側を前記基端とする前記シリンダの胴部を成形するための胴部成形用キャビティと、
前記一対の金型部が型締めされたときに、前記一方の金型部と前記他方の金型部の互いの対向面の間であって前記胴部成形用キャビティの前記一方の金型部側端部の周縁に形成され、前記シリンダの前記基端に設けられる鍔部を成形するための鍔部成形用キャビティと、
前記コアの軸方向に対して垂直な方向に溶融樹脂を吐出するホットランナノズルと、
前記一方の金型部側に設けられ、前記鍔部成形用キャビティの前記一方の金型部側の面の一部をなすとともに、前記一対の金型部が型締めされたときに前記鍔部成形用キャビティの周縁端部にくる位置に、前記ホットランナノズルの吐出口に通じるゲートを有するゲートブロックと、
前記一方の金型部側に設けられ、前記一対の金型部が型締めされていない状態において前記コアとは相対的に前記コアの軸方向へ移動可能に設けられ、前記鍔部成形用キャビティの前記一方の金型部側の面のうち前記ゲートブロック以外の部分をなし、前記コアとは相対的に前記コアの先端側へ移動させられることによって前記コアの外周に成形された前記シリンダの前記鍔部を前記コアの先端側へ押圧し、前記シリンダを前記コアから離型させる押出し部材と、
前記一対の金型部が型締めされた状態で前記ゲートブロックの側面と前記押出し部材の側面によって形成され、前記コアの前記鍔部成形用キャビティよりも基端側部分の外周面に接して前記コアを支持するコア支持部と、を備えたシリンダ成形用金型。
【請求項２】
１つの前記コアに対して複数の前記ホットランナノズルを備えている請求項１に記載のシリンダ成形用金型。
【請求項３】
１つの前記コアに対して、２つの前記ホットランナノズルが互いの吐出口が対向するように設けられている請求項２に記載のシリンダ成形用金型。
【請求項４】
前記他方の金型部側に設けられ、前記一対の金型部が型締めされたときに前記コアが収容されることによって前記胴部成形用キャビティを形成する胴部成形用ブロックを備え、
前記胴部成形用ブロックは、前記一対の金型部の型開き方向と直交する方向へ分割される複数のブロックによって構成されている請求項１から３のいずれか一項に記載のシリンダ成形用金型。
【請求項５】
前記他方の金型部側に設けられ、型開き方向へ前記胴部成形用ブロックとは相対的に移動し、その相対的な移動距離に応じた距離だけ前記複数のブロックを分割方向に移動させるカム機構をさらに備えている請求項４に記載のシリンダ成形用金型。
【請求項６】
請求項１から５のいずれか一項に記載のシリンダ成形用金型の前記一対の金型部を型締めする型締め工程と、
前記型締め工程の後、前記ホットランナノズルから前記ゲートを介して前記胴部成形用キャビティ及び前記鍔部成形用キャビティに溶融樹脂を注入する注入工程と、
前記注入工程の後、前記胴部成形用キャビティ及び前記鍔部成形用キャビティを冷却して溶融樹脂を固化し、シリンダを成形する成形工程と、
前記成形工程の後、前記一対の金型部を型開きする型開き工程と、
前記型開き工程の後、前記押出し部材を前記コアの先端側へ移動させることにより、成形された前記シリンダを前記コアから離型させる離型工程と、を備えたシリンダ成形方法。
【請求項７】
請求項４又は５に記載のシリンダ成形用金型の前記一対の金型部を型締めする型締め工程と、
前記型締め工程の後、前記ホットランナノズルから前記ゲートを介して前記胴部成形用キャビティ及び前記鍔部成形用キャビティに溶融樹脂を注入する注入工程と、
前記注入工程の後、前記胴部成形用キャビティ及び前記鍔部成形用キャビティを冷却して溶融樹脂を固化し、シリンダを成形する成形工程と、
前記成形工程の後、前記胴部成形用ブロックを前記一対の金型部の型開き方向と直交する方向へ分割させる型分割工程と、
前記型分割工程の後、前記一対の金型部を型開きする前記型開き工程と、
前記型開き工程の後、前記押出し部材を前記コアの先端側へ移動させることにより、成形された前記シリンダを前記コアから離型させる離型工程と、を備えたシリンダ成形方法。
【発明の詳細な説明】
【技術分野】
【０００１】
本発明は、合成樹脂製のシリンダを成形するための金型とその金型を用いたシリンダ成形方法に関するものである。
【背景技術】
【０００２】
先端の筒状突起に注射針が装着され、内部にプランジャを押し込んで薬液封入部を構成するシリンジの外筒（以下、シリンダという。）として、近年、合成樹脂により射出成形されたものが普及している。シリンダを成形するための射出成形金型に設けられるシリンダ成形用キャビティは、シリンダの外面を形成するための凹部である外面形成型部とシリンダの内面を形成するためのコアによって形成される。
【０００３】
シリンダ成形用金型は互いに対向する面を有する一対の金型部からなり、それらの型のうちいずれか一方の金型部側に外面形成型部が設けられ、他方の金型部側にコアが設けられる。コアは一対の金型部の型開き方向に伸びるように設けられており、外面形成型部はそのコアを内部に収容するように設けられている。そして、これら一対の金型部が型締めされたときにコアが外面形成型部内に挿入され、外面形成型部の内周面とコアの外周面との間の隙間がシリンダを成形するためのキャビティをなす。
【０００４】
こうしてシリンダ成形用キャビティの長手方向が型開き方向と平行になるように構成されたキャビティに溶融樹脂が充填された後、充填樹脂が冷却固化されて型開きが行われ、コア側に残った成形品は突き出されて金型から取り出される。
【０００５】
ここで、合成樹脂製シリンダを成形するための射出成形金型において、キャビティのゲート口まで溶融樹脂を供給するためのランナとしてコールドランナを用いたり、あるいはコールドランナとホットランナを組合せたセミホットランナを用いたりする場合がある。ランナの一部にコールドランナを採用すると、コールドランナ部分の樹脂は成形サイクル毎に捨てざるを得ず、樹脂ロスが大きくなる。また、成形速度や一つの金型での成形品取り数にも限界が生じる。
【０００６】
これらの不具合をなくすために、コールドランナ部分を持たないフルホットランナを採用するとともに、フルホットランナの一種であるサイドゲート型ダイレクトホットランナノズルを採用した金型が提案されている（特許文献１、特許文献２参照。）。
【０００７】
サイドゲート型ダイレクトホットランナノズル構成の金型では、金型型開き方向と平行な方向にホットランナノズルの本体部が設けられ、その本体部の先端に、型開き方向と直交する方向に開口するノズル開口部が設けられている。ノズル開口部は、シリンダの鍔部を形成するための鍔部形成用キャビティの周縁部に通じている。シリンダの胴部を形成するための胴部成形用キャビティは、その長手方向が金型の型開き方向と平行になるように、金型の内側に設けられている。
【０００８】
キャビティに溶融樹脂を注入するゲートの位置は、シリンダ形成用キャビティのいずれの部分であってもよい。しかし、溶融樹脂射出注入時において高圧の射出樹脂圧によるコアのブレや偏芯を少なくするために、コアの先端部よりもコアの基端部に近い方が好ましい。さらに、成形品に残されたゲート跡が目立たないことが好ましい。これらの理由から、特許文献１，２にも示されているように、鍔部形成用キャビティの周縁外側面に通ずる位置にゲートが設けられることが多い。
【０００９】
ここで、シリンダ成形用金型においては、一対の金型部のうちホットランナノズルが設けられている一方の金型部側に外面形成型部、他方の金型部側にコアを設ける場合がある（例えば、特許文献２参照。）。その場合、外面形成型部内に形成されるキャビティと隣接する位置にホットランナノズルの本体部が並行して存在することになり、ホットランナノズルの本体部が妨げとなって、キャビティに樹脂を充填した後で樹脂を冷却するための冷却用水管をキャビティの周囲に効率よく配置することが困難である。
【００１０】
そこで、金型を構成する一対の金型部のうちホットランナノズルが設けられている一方の金型部側にコアを設け、他方の金型部側に外面形成型部を設けることが提案され（特許文献１参照。）、実施もなされている。かかる構造にすることで、ホットランナノズルの本体部がキャビティと隣接する位置に存在せず、冷却用水管をキャビティの周囲に効率よく配置することができる。
【先行技術文献】
【特許文献】
【００１１】
【特許文献１】特許第３４９６８８０号公報
【特許文献２】特許第４４７３０２８号公報
【発明の概要】
【発明が解決しようとする課題】
【００１２】
ホットランナノズルが設けられている一方の金型部側にコアを設ける場合、鍔部成形用キャビティの当該一方の金型部側の壁面をなす型ブロックは、コア及びホットランナノズルとは相対的にコアの軸方向へ移動可能に設けられる必要があるため、ホットランナノズルからの溶融樹脂を吐出するゲートを形成するゲートブロックとは別部材として設けられる。当該型ブロックは、キャビティ内の樹脂が冷却固化されて成形されたシリンダの鍔部をコアの先端側へ押し出すことによってコアから離型させる押出し部材としての役目をもなすものである。
【００１３】
この型ブロックは、前記一方の金型部において外面形成型部の開口部に対向するように設けられている。型ブロックにはコアを貫通させる貫通穴が設けられており、型締め後にはコアと型ブロックの間に溶融樹脂が入り込んで成形品にバリが生じないようにキャビティ側から見て隙間なく密着されなければならないので、型ブロックの貫通孔内周面とコア外周面との密着性の精度維持が要求される。
【００１４】
このような金型では、鍔部の大きいシリンダを成形する分には問題がなかった。すなわち、鍔部が大きい場合には、コアとゲートとの間の間隔が広くなるため、型ブロックにおいてコア外周面と密着する部分（貫通穴の周囲）も大きくすることができ、ある程度の強度を確保できる。
【００１５】
しかし、鍔部の小さいシリンダを成形しようとすると、コアとゲートの間の間隔が狭くなり、型ブロックのコア外周面と密着している、特にゲート側部分の肉厚が薄くなって強度が不足するおそれがある。また、型ブロックの厚みが薄いと、成形時に繰り返す高射出樹脂圧の印加や型開閉動作に耐えることができず、さらに強度劣化をきたすという問題がある。型ブロックの強度が不足すると、特にそのコアとゲート間の部分に歪等の劣化を生じ、型ブロックとコアとの密着精度を維持できなくなって溶融樹脂が入り込み成形品にバリを生じ易くなる。そのため、従来のサイドゲート型ホットランナノズルを用いる金型では、鍔部の小さなシリンダ、特に小型のシリンダを成形することに適しているとはいえなかった。
【００１６】
そこで、本発明は、鍔部の小さなシリンダを高精度に成形することができるようにすることを目的とするものである。
【課題を解決するための手段】
【００１７】
本発明に係るシリンダ成形用金型は、互いの対向面が重ね合わされた状態で互いに型締めされる一対の金型部により構成される。前記一対の金型部のうちいずれか一方の金型部にはコアが設けられている。コアは、先端が他方の金型部に向かって伸びている。前記一対の金型部が型締めされたときに前記他方の金型部側に前記コアが収容されることによって胴部成形用キャビティが形成される。胴部成形用キャビティは、前記一方の金型部側を基端部とするシリンダの胴部を成形するためのものである。前記一対の金型部が型締めされたときに、前記一方の金型部と前記他方の金型部の互いの対向面の間であって前記胴部成形用キャビティの前記一方の金型部側端部の周縁に、鍔部成形用キャビティも形成される。鍔部成形用キャビティは、シリンダの基端に設けられる鍔部を成形するためのものである。
【００１８】
さらに、本発明に係るシリンダ成形用金型は、ホットランナノズル、ゲートブロック及び押出し部材を備えている。ホットランナノズルは、前記コアの軸方向に対して垂直な方向に溶融樹脂を吐出する。ゲートブロックは前記一方の金型部側に設けられ、前記一対の金型部が型締めされたときに前記鍔部成形用キャビティの周縁端部にくる位置に、前記ホットランナノズルの吐出口に通じるゲートを有する。また、ゲートブロックは、前記鍔部成形用キャビティの前記一方の金型部側の面の一部をなしている。押出し部材は前記一方の金型部側に設けられ、前記一対の金型部が型締めされていない状態において前記コアとは相対的に前記コアの軸方向へ移動可能に設けられている。押出し部材は、前記鍔部成形用キャビティの前記一方の金型部側の面のうち前記ゲートブロック以外の部分をなし、前記コアとは相対的に前記コアの先端側へ移動させられることによって前記コアの外周に成形されたシリンダの鍔部を前記コアの先端側へ押圧し、そのシリンダを前記コアから離型させるものである。
【００１９】
すなわち、本発明に係るシリンダ成形用金型は、鍔部成形用キャビティの前記一方の金型部側の面がゲートブロックと押出し部材によって形成されている。これにより、ゲートとコアとの間の間隔が狭い場合でも、鍔部成形用キャビティの前記一方の金型部側の面を構成する型部材とコアとの型締め時における密着精度を低下させることなく維持することができる。
【００２０】
従来の金型構造では、成形品をコアから離型させる押出し部材を兼ねた型ブロックは、コアを貫通させる貫通穴の内周面でコアの外周面を保持してコアの位置決めを行なう役割も担っていた。型ブロックの貫通穴はコアの先端側へいくほど内径が小さくなるように内周面が傾斜したテーパ形状になっており、型締め時には、型ブロック内側のテーパ形状面にてコアの外周面と圧接触してコアの外周面をしっかりと保持することで、コアの軸心の位置決めを行ない、コアの位置ずれを防止する。このように、型ブロックは、コアの位置決めをも行なうものであるから、一定の強度が要求される。
【００２１】
しかし、鍔部の小さいシリンダを成形しようとすると、コアとゲートの間の間隔が狭くなり、型ブロックにおいてコアを保持している特にゲート側部分の肉厚が薄くなり、コアを位置決めしておくための強度が不足する。そうすると、型締めした際にコアの基部を強固に安定的に支えることができなくなり、溶融樹脂の射出時に射出圧によってコアのブレを発生させ、シリンダの肉厚ムラをきたして成形品不良を生じるという問題がある。
【００２２】
そこで、本発明に係るシリンダ成形用金型においては、一対の金型部が型締めされた状態でゲートブロックの側面と押出し部材の側面によって形成され、コアの鍔部成形用キャビティよりも基端側部分の外周面に接してコアを支持するコア支持部を備えていることが好ましい。コア支持部がゲートブロックの側面と押出し部材の側面によって形成されているので、鍔部の小さいシリンダを形成する場合にも、成形時に繰り返される大きな射出樹脂圧の印加や金型開閉動作に対してコアを支持するコア支持部の強度を十分に確保することができ、コアの軸心ずれによる成形不良を防止することができる。これにより、金型を鍔部の小さいシリンダの成形に適したものとすることができる。
【００２３】
本発明は鍔部の小さい注射器シリンダの成形を行なう上で特に効果を奏する発明であるが、鍔部の小さいシリンダには、シリンダ自体が小型のものと、シリンダ自体は比較的大型ではあるが鍔部が相対的に小さいシリンダとがある。小型のシリンダでも胴部の径に対して長さが比較的長いシリンダ等の場合、たとえコアの基部が安定に保持されているとしても、成形時においてシリンダ成形キャビティの鍔部周縁部の１箇所のゲートから溶融樹脂を射出注入すると、コアが長いため射出時の樹脂圧により成形品の特に鍔部寄り部よりも先端部に近いほどコアの軸心にブレを生じ易く、結果として成形品（特に先端寄り部分）の胴部壁の肉厚に不均一が生じやすくなる。
【００２４】
他方、比較的大型の注射器シリンダの場合では、シリンダ成形キャビティの容積も大きくなる。そのため、成形時にシリンダ成形キャビティの鍔部周縁部の１箇所のゲートのみから溶融樹脂の射出注入を行なうと、小型シリンダに比べて射出に時間を要するのみならず、キャビティ内全体に十分な充填圧力が伝わりにくい。その結果、キャビティへの充填が不完全になったり、充填されても成形品に樹脂密度の偏りが発生して冷却時の樹脂の収縮率にバラツキが生じ、成形不良になったりするという問題がある。
【００２５】
そこで、本発明に係るシリンダ成形用金型の好ましい実施態様では、１つのコアに対して複数のホットランナノズルを備えている。かかる態様により、１つのシリンダ成形用キャビティに対し２以上のゲートから溶融樹脂の射出注入を行なうことができ、上記問題の発生を抑制することができる。
【００２６】
さらに好ましい実施態様では、１つのコアに対して、２つのホットランナノズルが互いの吐出口が対向するように設けられている。すなわち、コアの中心軸に対して対照な互いに反対側の鍔部成形キャビティの周縁端部の２箇所にゲートを設け、コアに対して互いに反対側の両方向から樹脂を射出注入する。従来の金型構成では、前述のとおり、フルホットランナを用いて鍔部の小さいシリンダ自体を成形することが困難であり、胴部の径に対して長さが比較的長い小型のシリンダや、比較的大型の注射器シリンダであって相対的に鍔部の小さなシリンダを、複数のフルホットランナを用いて成形することはなおさら困難であった。しかし、フルホットランナを収容するゲートブロックにて鍔部形成用キャビティの前記一方の金型部側の面の一部を形成し、あるいはさらにゲートブロックの側面にてコア支持部の一部を形成することにより、はじめて鍔部の小さいシリンダでも複数のホットランナを用いることが可能となった。そこでさらに、１つのコアに対して、２つのホットランナノズルが互いの吐出口が対向するように設けられているという構成をとれば、コアの基部を強固に安定に保持しつつ、鍔部の小さいシリンダを、フルホットランナを用いてコアの中心軸に対して対照な互いに反対側の鍔部成形キャビティの周縁端部の２箇所にゲートを設けるという構成を採用することが可能となり、コアに対して互いに反対側の鍔周縁部ゲートからの両方向から樹脂を射出注入して成形することが可能である。
【００２７】
上記構成とすることにより得られる効果として、以下が挙げられる。
（１）コア基部に近い方からの樹脂射出注入であって、なおかつ鍔部周縁部の２箇所からコアに向かって互いに両方向から同時にキャビティに溶融樹脂が射出されるので、射出バランスが改善し、コアの安定性がさらに向上する。このため、コアの先端近傍であっても、射出樹脂圧によるコアのブレが少なくなり、肉厚に偏りのない均一性のよい成形品を成形することができる。
（２）コア基部に近い方からの樹脂射出注入であって、なおかつ鍔部周縁部の２箇所からコアに向かって互いに両方向から同時にキャビティに溶融樹脂が射出されるので、樹脂充填速度が速くなり、成形速度が向上する。
（３）コア基部に近い方からの樹脂射出注入であって、なおかつ鍔部周縁部の２箇所からコアに向かって互いに両方向から同時にキャビティに溶融樹脂が射出されるので、大型シリンダであってもキャビティ内全体に十分に充填圧力が伝わり易くなり、成形品に充填不良や樹脂密度の偏りが発生しにくくなって成形不良を無くすことができる。
【００２８】
注射器シリンダの先端部には、注射針を装着するための筒状突起があるが、さらにシリンダによっては注射針が不用意に外れないように、注射針をシリンダに固定するためのネジ溝を具えたルアーロック円筒のような小円筒部や、注射針カバーを装着するため等の小円筒部が、筒状突起を取囲んで設けられているタイプのものもある。胴部の外径が小さい小型シリンダで先端に小円筒部が設けられているタイプでは、シリンダ先端部の小円筒部がシリンダ胴部の外径よりも大きくなることが多い。このような場合、シリンダ先端部の小円筒部がシリンダ胴部よりも外径が大きいために、金型を型開きする際に胴部成形用キャビティの外周部分を形成する胴部成形用ブロックが小円筒部と干渉して当該小円筒部がアンダーカットとなり、上記胴部成形用ブロックから成形品をコアとともに引き抜くことができない。
【００２９】
そこで、好ましい実施態様として、前記他方の金型部側に設けられ、前記一対の金型部が型締めされたときに前記コアが収容されることによって前記胴部成形用キャビティを形成する胴部成形用ブロックを備え、前記胴部成形用ブロックは、前記一対の金型部の型開き方向と直交する方向へ分割される複数のブロックによって構成されている態様が挙げられる。かかる態様にすることで、成形品をコアとともに他方の金型部から引き抜こうとする際に、胴部成形用ブロックが型開き方向と直交する方向へ分割することができるので、シリンダ先端にシリンダ胴部よりも外径の大きい小円筒部等がある場合でも、その小円筒部等が他方の金型部からの引抜き時に干渉せず、成形品を安全に他方の金型部から引き抜くことが可能となる。
【００３０】
上記の場合、前記他方の金型部側に設けられ、型開き方向へ前記胴部成形用ブロックとは相対的に移動し、その相対的な移動距離に応じた距離だけ前記複数のブロックを分割方向に移動させるカム機構をさらに備えていることが好ましい。そうすれば、カム機能を型開き方向へ胴部成形用ブロックとは相対的に移動させるだけで胴部成形用ブロックを分割させることができ、他方の金型部からの成形品の引抜きが容易になる。
【００３１】
本発明に係る第１のシリンダ成形方法は、上記した本発明のシリンダ成形用金型を用いてシリンダの成形を行なうものである。具体的には、本発明の一対の金型部を型締めする型締め工程と、前記型締め工程の後、前記ホットランナノズルから前記ゲートを介して前記外筒成形用キャビティ及び前記鍔部成形用キャビティに溶融樹脂を注入する注入工程と、前記注入工程の後、前記外筒成形用キャビティ及び前記鍔部成形用キャビティを冷却して溶融樹脂を固化し、シリンダを成形する成形工程と、前記成形工程の後、前記一対の金型部を型開きする型開き工程と、前記型開き工程の後、前記押出し部材を前記コアの先端側へ移動させることにより、成形された前記シリンダを前記コアから離型させる離型工程と、を備えている。
【００３２】
本発明に係る第２のシリンダ成形方法は、上記した本発明のシリンダ成形用金型のうち胴部成形用ブロックが分割可能な２つのブロックによって構成されているものを用いた成形方法である。このシリンダ成形方法は、シリンダ成形用金型の前記一対の金型部を型締めする型締め工程と、前記型締め工程の後、前記ホットランナノズルから前記ゲートを介して前記胴部成形用キャビティ及び前記鍔部成形用キャビティに溶融樹脂を注入する注入工程と、前記注入工程の後、前記胴部成形用キャビティ及び前記鍔部成形用キャビティを冷却して溶融樹脂を固化し、シリンダを成形する成形工程と、前記成形工程の後、前記胴部成形用ブロックを前記一対の金型部の型開き方向と直交する方向へ分割させる型分割工程と、前記型分割工程の後、前記一対の金型部を型開きする前記型開き工程と、前記型開き工程の後、前記押出し部材を前記コアの先端側へ移動させることにより、成形された前記シリンダを前記コアから離型させる離型工程と、を備えている。
【発明の効果】
【００３３】
本発明に係るシリンダ成形用金型では、鍔部成形用キャビティの前記一方の金型部側の面がその全面を押出し部材によらず、特に当該面のうち鍔部の小型化によって距離が小さくなり薄肉化されて強度不足となるホットランナノズルとコアとの間の部分の面をゲートブロックによって形成することにより、十分な強度が確保される。したがって、成形時に繰り返される大きな射出樹脂圧の印加や金型開閉動作によっても歪等劣化を生じることがなくコアとの間の密着精度も維持でき、樹脂の侵入による成形品のバリが生じることを防止することができる。
【００３４】
本発明に係る第１のシリンダ成形方法では、本発明に係るシリンダ成形用金型を用いるため、鍔部の小さいシリンダを精度よく成形することができる。
【００３５】
本発明に係る第２のシリンダ成形方法では、上記成形方法に加え、成形工程の後、前記胴部成形用ブロックを前記一対の金型部の型開き方向と直交する方向へ分割させる型分割工程を備えているので、シリンダ胴部よりも外径の大きい小円筒部等を先端に備えた成形品の他方の金型部からの引抜きが可能となるので、先端にシリンダ胴部よりも外径の大きい小円筒部等を備えたシリンダを成形することができる。
【図面の簡単な説明】
【００３６】
【図１】一実施例のシリンダ成形用金型の型締め状態を示す断面図である。
【図２】同実施例の型開き状態を示す断面図である。
【図３】同実施例の成形品離型時の状態を示す断面図である。
【図４】同実施例のキャビティ部を拡大して示す断面図である。
【図５】同実施例の鍔部成形用キャビティに接するゲートブロックと押出し部材の位置関係を説明するための概念図である。
【図６】同実施例のシリンダ成形用金型により成形されたシリンダの一例を示す図であり、（Ａ）はシリンダ全体の斜視図、（Ｂ）は鍔部を拡大した図である。
【図７】シリンダ成形用金型の他の実施例を示す断面図である。
【図８】同実施例のキャビティ部を拡大して示す断面図である。
【図９】同実施例の鍔部成形用キャビティに接するゲートブロックと押出し部材の位置関係を説明するための概念図である。
【図１０】同実施例のシリンダ成形用金型により成形されたシリンダの一例を示す図であり、（Ａ）はシリンダ全体の斜視図、（Ｂ）は鍔部を拡大した図である。
【図１１】シリンダ成形用金型のさらに他の実施例の型締め状態を示す図であり、（Ａ）は金型全体の断面図、（Ｂ）は（Ａ）のＸ−Ｘ位置における断面図である。
【図１２】同実施例の型分割時の状態を示す図であり、（Ａ）は金型全体の断面図、（Ｂ）は（Ａ）のＸ−Ｘ位置における断面図である。
【図１３】同実施例のシリンダ成形用金型により成形されたシリンダの一例を示す斜視図である。
【発明を実施するための形態】
【００３７】
以下、図面を参照しながら本発明に係るシリンダ成形用金型及びその金型を用いた成形方法の一実施例について説明する。
【００３８】
まず、図１から図４を用いてこの実施例のシリンダ成形用金型の構造について説明する。
【００３９】
シリンダ成形用金型は一対の金型部によって構成されている。一対の金型部のうち一方の金型部はその位置が固定されている固定側金型部であり、他方の金型部は固定側金型部とは相対的に移動させる可動側金型部である。これらの金型部は互いに対向した面をもち、互いの対向面が重ね合わされて型締めがなされる。可動側金型部は図において上下方向へ移動可能に設けられている（図２及び図３参照）。図１から図３において、可動側金型部が移動する上下方向を型開き方向と称する。
【００４０】
図１は固定側金型部と可動側金型部が型締めされた状態を示している。この状態において、シリンダ成形用金型の内部にシリンダの胴部を成形するための胴部成形用キャビティ２８ａとシリンダ基端の鍔部を成形するための鍔部成形用キャビティ２８ｂが形成される。胴部成形用キャビティ２８ａは、固定側金型部に設けられたコア１６の本体部１６ａ及び先端部１６ｄ（図４参照）が、可動側金型部に設けられた凹部２６ａ，３６ａ（図２）に挿入されることにより形成される。
【００４１】
これらのキャビティ２８ａ，２８ｂは、サイドゲート型のホットランナノズル本体部２を挟んで対称な２ヶ所の位置に設けられている。キャビティ２８ａ，２８ｂに溶融樹脂を注入するためのゲートは、鍔部成形用キャビティ２８ｂの端部に設けられている。ゲートの位置に溶融樹脂を吐出するノズル１４の吐出口が配置されている。
【００４２】
固定側金型部と可動側金型部についてさらに具体的に説明する。
【００４３】
ホットランナノズル本体部２は固定側金型部側に設けられている。固定側金型部には、当該固定側金型部を成形機に取り付けるための固定側取付板６が設けられ、その固定側取付板６にスペーサブロック４が固定されている。スペーサブロック４にはホットランナノズル本体部２の基部が取り付けられている。ホットランナノズル本体部２は、その軸方向が型開き方向と平行で、先端部が可動側金型部側（図において下側）を向くように設けられている。図では、ホットランナノズル本体部２をスペーサブロック４に固定するためのボルト等の図示を省略している。スペーサブロック４のさらに可動側金型部側に、固定側受け板８が設けられている。固定側受け板８はスペーサブロック４とボルト１０によって固定されている。
【００４４】
ホットランナノズル本体部２は、固定側受け板８を貫通し、先端部が可動側金型部側へ突出している。ホットランナノズル本体部２の先端部の対称な２ヶ所の位置に、溶融樹脂を吐出するホットランナノズル１４（単にノズル１４とも称する。）が設けられている。ノズル１４はその吐出口が型開き方向に対して垂直な方向（図において左右方向）を向くように設けられている。
【００４５】
ホットランナノズル本体部２のうち固定側受け板８よりも可動側金型部側にある先端部分にゲートブロック１２が取り付けられている。ゲートブロック１２は、内部にホットランナノズル本体部２の先端部を収容し、ノズル１４の吐出口に対応する位置に、ノズル１４から吐出された溶融樹脂をキャビティ２８ａ，２８ｂへ導くゲートを有する。
【００４６】
コア１６は、円筒形状の本体部１６ａ、その本体部１６ａよりも外形の大きい円筒形状の基部１６ｂ、本体部１６ａと１６ｂの間に設けられた被保持部１６ｃ、及び本体部１６ａの先端に設けられ本体部１６ａよりもさらに外径の小さい先端部１６ｄ（図４参照）を備えている。被保持部１６ｃの外周面は、基部１６ｂ側から本体部１６ａ側へいくにしたがってその外径が小さくなるように傾斜したテーパ形状を有する。コア１６はゲートブロック１２を貫通し、コア１６の本体部１６ａ及び先端部１６ｄは可動側金型部側へ伸びている。ゲートブロック１２は、コア１６の被保持部１６ｃの外周面の一部に接する傾斜側面１２ａを有する。
【００４７】
固定側受け板８の可動側金型部側に、押出し部材等を収容保持する固定側型板１８が設けられている。固定側型板１８には押出し部材２２がボルト２２によって固定されている。固定側型板１８は、型締めされた状態（図１の状態）においてゲートブロック１２を収容するように設けられている。
【００４８】
押出し部材２２は、型締めされた状態において、コア１６の被保持部１６ｃの外周面のうち、ゲートブロック１２の傾斜側面１２ａが接していない部分に接する傾斜側面２２ａを有する。ゲートブロック１２の傾斜側面１２ａと押出し部材２２の傾斜側面２２ａは、型締めされた状態において互いに連続し、コア１６の被保持部１６ｃの外周面の形状に対応したテーパ形状の内周面を有する貫通穴を形成する。型締め時に、この貫通穴にコア１６の被保持部１６ｃが嵌まり込むことで、傾斜側面１２ａ及び２２ａがコア１６の被保持部１６ｃの外周面と接し、ゲートブロック１２と押出し部材２２とでコア１６を支持し、コア１６の軸心の位置決めが行われると同時にキャビティ内に充填された溶融樹脂が接触面に進入して成形品にバリが生じないようにしている。
【００４９】
可動側金型部は、当該可動側金型部を成形機に取り付けるための可動側取付板３４に、可動側取付板３４側から可動側受け板３０と可動側型板２４とがボルト３２によって固定されて構成されている。可動側型板２４の内側に、第１型ブロック２６が嵌め込まれて固定されている。可動側受け板３０には円環形状の第２型ブロック３６が嵌め込まれて固定されている。
【００５０】
第１型ブロック２６は、コア１６に対応する位置に、コア１６の本体部１６ａを収容する貫通穴２６ａを有するとともに、貫通穴２６ａの固定側金型部側の開口部の縁に、鍔部成形用キャビティ２８ｂを形成する窪み２６ｂを有する。第２型ブロック３６は、第１型ブロック２６の貫通穴２６ａ直下の位置に、貫通穴２６ａと連続して外筒部成形用キャビティ２８ａを形成するための凹部を有する。
【００５１】
図示は省略されているが、第１型ブロック２６及び第２型ブロック３６内には、キャビティ２８ａ−２８ｃ内の樹脂を冷却して固化させるための冷却用水管が埋設されている。
【００５２】
可動側金型部は、２本のスライドレールである引張りリンク３８に沿って型開き方向に移動する。スライドレールである引張りリンク３８には型開き方向に伸びた長穴が設けられており、その長穴の内側を、固定側金型部の固定側型板１８の側面に固定された軸３８ａと、可動側型板２４に設けられた軸３８ｂがスライドするようになっている。そして型開き状態（図２参照）の後、可動側金型部が型開き方向にさらに開かれようとすると、引張りリンク３８は固定側金型部のうち固定側型板１８のみを型開き方向に引張り下げることにより、図３に示されているように、固定側型板１８に固定された押し出し部２２が成形品４４を突き出してコア１６ａから成形品４４を離型させるように機能する。なおこのとき固定側型板１８は、先端が固定側受け板８に固定されたストッパー４０にて、下方に引っ張り下げられるときの移動量が規制される。
【００５３】
また、固定側金型部の押出し部材を保持する固定側型板１８は、型開き方向へ伸びたガイドポスト（図示は省略）に沿って、型開き方向へ移動する。これに伴って、押出し部材を保持する固定側型板１８に固定された押出し部材２２が型開き方向へ移動する。
【００５４】
第１型ブロック２６の中央部に、型締め時にゲートブロック１２の先端部１２ｂを嵌め込むための窪み２６ｃが設けられている。ゲートブロック１２の先端部１２ｂは可動側金型部側へいくほどその外径が小さくなるように外周面が傾斜したテーパ形状となっており、第１型ブロック２６の窪み２６ｃはゲートブロック１２の先端部１２ｂに対応した形状となっている。これにより、型締め時に先端部１２ｂが窪み２６ｃに嵌め込まれることによって固定側金型部と可動側金型部との位置決めがなされる。
【００５５】
シリンダを成形するためのキャビティについて、図４を用いてさらに説明する。
【００５６】
型締めがなされてコア１６の本体部１６ａ及び先端部１６ｄが型ブロック２６及び３６の内部に設けられた凹部内に挿入されることで、コア１６の本体部１６ａ及び先端部１６ｄの外周面と型ブロック２６及び３６の内部の凹部内周面との間に、シリンダの胴部を成形するためのキャビティ２８ａ及び２８ｃが形成される。キャビティ２８ｃは、シリンダの先端に注射針を装着するための細い円筒部分を成形するためのものである。
【００５７】
また、キャビティ２８ａの固定側金型側の端部に、シリンダ基端部に設けられる鍔部を成形するための鍔部成形用キャビティ２８ｂが形成される。この鍔部成形用キャビティ２８ｂは、可動側金型側（図において下側）の面が型ブロック２６によって形成され、固定側金型側（図において上側）の面がゲートブロック１２及び押出し部材２２によって形成される。
【００５８】
鍔部成形用キャビティ２８ｂ上におけるゲートブロック１２と押出し部材２２との位置関係について図５を用いて説明する。
【００５９】
図５において、粗いハッチングがなされている領域が押出し部材２２のある部分であり、クロスハッチングがなされている領域がゲートブロック１２のある部分である。細かいハッチングがなされている部分はコア１６が貫通する部分である。鍔部成形用キャビティ２８の固定側金型側の面のうち、ホットランナノズル１４側の一部がゲートブロック１２の一部の面であり、残りの部分が押出し部材２２の一部の面である。
【００６０】
ここで、鍔部成形用キャビティ２８の固定側金型側の面の全体を押出し部材２２の面にすると、ホットランナノズル１４とコア１６との間の距離が小さくなったときに、押出し部材２２のうちホットランナノズル１４側（図において右側）部分の肉厚が薄くなり、強度不足となる。その結果、成形動作の際に何度も繰り返す高射出樹脂圧の印加や金型開閉動作によって当該部分に歪を生じるなどして精度劣化をきたし樹脂漏れが生じて成形品にバリを生じたりする。さらには、コア１６を十分な強度で安定的に支持することができないおそれがある。
【００６１】
この実施例では、ゲートブロック１２の一部を鍔部成形用キャビティ２８上まで張り出させることによって鍔部成形用キャビティ２８の固定側金型側の面のうちゲート側部分をゲートブロック１２の一部にて構成している。これにより距離が小さくなったホットランナノズル１４とコア１６との間の強度を確保でき、成形動作を繰り返しても型締め時におけるコアとの密着精度を低下させることなく維持でき、樹脂の進入を防止してバリの発生を抑制することができる。
【００６２】
また、この鍔部成形用キャビティ２８上まで張り出させたゲートブロック１２の一部をコア１６の外周面に接触させ、コア１６をゲートブロック１２と押出し部材２２によって支持するようになっているので、コア１６を支持するコア支持部１７（図１参照）の強度を十分に確保することができる。これにより、成形動作の際に繰り返す高射出樹脂圧の印加や金型開閉動作に対して耐久性を有し、溶融樹脂がゲートから高圧射出注入されてもコア１６の軸心ブレを防ぐことができる。
【００６３】
この実施例のシリンダ成形用金型は、かかる構成をとるため、図５（Ａ）及び（Ｂ）に示されているように、成形されたシリンダ４４の鍔部４４ａの端面に特徴的なパーティングライン４６が残ることとなる。また、鍔部４４ａの側面にはゲート跡４８が残る。
【００６４】
図１から図３を用いて、このシリンジ成形用金型を用いた成形方法について説明する。
【００６５】
まず、図１に示されているように、固定側金型部と可動側金型部とを型締めし、キャビティ２８ａ−２８ｃを形成する。ホットランナノズル１４からゲートを通じてキャビティ２８ａ−２８ｃ内に溶融樹脂を充填する。キャビティ２８ａ−２８ｃに充填された溶融樹脂を冷却し、固化させる。
【００６６】
キャビティ２８ａ−２８ｃ内の溶融樹脂を固化させた後、図２に示されているように、可動側金型部を固定側金型部から遠ざかる方向（図において下方向）へ移動させる。可動側金型部を移動させてコア１６を可動側金型部から引き抜くと、コアの本体部１６ａの周囲にシリンダ４４が成形されている。
【００６７】
次に、図３に示されているように、押出し部材２２をコア１６の先端側へ移動させる。押出し部材２２は成形されたシリンダ４４の鍔部４４ａ（図６参照）の端面の大部分に接しており、押出し部材２２をコア１６の先端側へ移動させることで、成形されたシリンダ４４がコア１６から離型する。これにより、シリンダ４４を成形するための一連の工程が終了する。
【００６８】
この実施例の押出し部材２２は、従来の金型のように、成形品の鍔部の端面全体を押圧しないので成形品の突出し力は従来に比べてやや弱くなる。しかし、鍔部の小さい小型のシリンダを成形する場合は離型抵抗が大型のシリンダの場合に比べて小さくなるのでなんら問題にはならない。
【００６９】
サイドゲート型のフルホットランナノズルとしては、特許文献１及び２に見られるようなノズル開閉にバルブを使用しないタイプのものであってもよいし、バルブを使用してノズル開閉を行うものであってもよい。
【００７０】
なお、上記実施例では、１つのシリンダ成形用キャビティ２８ａ−２８ｃに１つのホットランナノズル１４を用いて溶融樹脂を充填するように構成されているが、複数のホットランナノズルを用いて溶融樹脂を充填するように構成してもよい。図７及び図８は、１つのシリンダ成形用キャビティ２８ａ−２８ｃに２つのホットランナノズル１４と５２を用いて溶融樹脂を充填するように構成された金型の一実施例を示している。
【００７１】
この実施例の金型は、図１の実施例と金型の構成概念は同じである。相違点は、図１の実施例では鍔部成形用キャビティ２８ｂの片側のみにホットランナノズル１４とそれを収容するゲートブロック１２、そしてノズル１４の吐出口であるゲートが設けられているのに対し、図７の実施例では、ホットランナノズル本体２に加えてホットランナノズル本体５０が設けられ、さらに、鍔部成形用キャビティ２８ｂにおいて、コア１６の中心軸に関して対照な互いに１８０度反対側の位置に、それぞれホットランナノズル１４とその吐出口であるゲート、ホットランナノズル５２とその吐出口であるゲートが設けられている。ホットランナノズル５２はホットランナノズル１４を収容するゲートブロック１２とは別のゲートブロック５３に収容されている。これら２つのゲートブロック１２と５３は各々が鍔部形成用キャビティの固定側金型部側の面の一部であるゲート近傍の面をなしている。
【００７２】
図７及び図８の断面図ではゲートブロック１２及び５３に隠れて見えないが、１点ゲート構成の図５に相当する図９に示されているように、鍔部形成キャビティ２８ｂの固定側金型部側の面のうち２つのゲートブロック１２、５３以外の部分を成す押し出し部材２２がある。
【００７３】
このような２つのゲートブロック１２、５３による２点ゲート構成の結果、図１０に示されているように、成形品の鍔部４４ａには、押し出し部材２２と２つのゲートブロック１２、５３の合わせ部に対応する箇所に特徴的な４本のパーティングライン４６が現れることになり、かつ鍔部の外周上互いに反対側にそれぞれゲート跡４８が残ることになる。
【００７４】
なお、この実施例では２つのホットランナノズルによって溶融樹脂の充填を行なう構成になっているが、ホットランナノズルを３つ以上用いるように構成されていてもよい。
【００７５】
シリンダ成形用金型のさらなる他の実施例について、図１１及び図１２を用いて説明する。
【００７６】
この実施例のシリンダ成形用金型は、図１３に示されているように、先端部にシリンダ胴部１４４ａよりも大きい外径をもつ小円筒部１４４ｃを有するシリンダ１４４を成形するためのものである。かかるシリンダ１４４は、溶融樹脂を硬化して型開きをする際に、先端の小円筒部１４４ｃの外径が胴部１４４ａの外径よりも大きいために成形品をキャビティからそのまま引き抜くことができない。そのため、この実施例では、図１１及び図１２に示されているように、第１型ブロック１２６（胴部成形用ブロック）が、型開き方向（同図（Ａ）及び（Ｂ）において上下方向）と直交する方向（同図（Ａ）においては紙面に直交する方向、同図（Ｂ）においては左右方向）に分割されて開閉するスライド式の割り型としている。図１１は型締めした状態であり、図１２は型開き前に実行される第１型ブロック１２６の分割工程時の状態である。
【００７７】
この実施例では、コア１１６が図１の実施例におけるコア１６に相当し、第１型ブロック１２６が図１の実施例における第１型ブロック２６に相当し、可動側受け板１３０が図１の実施例における可動側受け板３０に相当し、可動側取付板１３４が図１の実施例における可動側取付板３４に相当し、第２型ブロック１３６が図１の実施例における第２型ブロック３６に相当する。
【００７８】
第１型ブロック１２６の胴部成形用キャビティ１２８ａを構成するための孔は下端部において僅かに内径が大きくなっており、その内側に下方から小円筒部成形用ブロック１２５の上端部が挿入され、さらにその下方から第２型ブロック１３６の上端の円筒形状部分が挿し込まれるようになっている。これら各ブロックの間には隙間が設けられており、シリンダ１４４の先端に設けられる小円筒部１４４ｃを形成するための小円筒部成形用キャビティを構成する。小円筒部成形用ブロック１２５は可動側受け板１３０に取り付けられている。
【００７９】
図１１（Ｂ）及び図１２（Ｂ）に示されているように、第１型ブロック１２６は２つのブロック１２６ａと１２６ｂによって構成されている。これらのブロック１２６ａ及び１２６ｂは、キャビティ１２８ａ‐１２８ｄを構成する孔の側方に、互いに対向する内側面が傾斜する部分をもち、互いの傾斜した内側面の間にカム１５４の上部が介在している。カム１５４の上部側面は、ブロック１２６ａ、１２６ｂの内側面に対応して傾斜したカム面となっている。また、ブロック１２６ａ、１２６ｂのうちカム１５４の上部が挟み込まれている部分の外側面も内側面と同様に傾斜しており、それぞれの外側面を２つの割り型押さえ部材１６０が支持している。
【００８０】
カム１５４及び割り型押さえ部材１６０はそれぞれボルト１５６、１６２によって可動側取付板１３４に固定されており、カム１５４及び割り型押さえ部材１６０は、型開き方向（図において上下方向）に第１型ブロック１２６及び可動側受け板１３０とは相対的にスライドすることができる。カム１５４及び割り型押さえ部材１６０が型開き方向にスライドすると、第１型ブロック１２６を構成する各ブロック１２６ａと１２６ｂの傾斜側面が、カム１５４及び割り型押さえ部材１６０の傾斜側面に追従することによって型開き方向と直交する方向へ移動する。
【００８１】
上記構成により、図１２に示されているように、可動側取付板１３４と可動側受け板１３０の間が固定側型部と可動側型部との型開きに先立って開くと、カム１５４上部のカム面が第１型ブロック１２６の各ブロック１２６ａ、１２６ｂの内側傾斜面に沿って下方に移動し、第１型ブロック１２６を押し開く。カム１５４及び割り型押さえ部材１６０は、型開き方向へ移動することによって、その移動距離に応じた距離だけ各ブロック１２６ａ、１２６ｂを分割方向へ移動させるカム機構をなしている。
【００８２】
なお、小円筒部１４４ｃの内周面にネジ溝が設けられている場合は、可動側取付板１３４と可動側受け板１３０が開く際に、図１２では示されていない回転駆動機構によって第２型ブロック１３６が回転し、この第２型ブロック１３６は小円筒部１４４ｃから引き抜かれる。
【００８３】
その後、固定側型部と可動側型部の型開きが行われると、成形品であるシリンダ１４４の先端部に形成された小円筒部１４４ｃが第１型ブロック１２６の内面と干渉することなく、可動側型部から引き抜かれる。その後は、図１等と同じ工程にて押し出し部材によって成形品１４４がコア１１６から突き出されて取り出される。
【００８４】
図１３に示されているように、この実施例の金型を用いて成形されたシリンダ１４４の外面には、図６に示した成形品のパーティングライン４６と同様のパーティングライン１４６だけでなく、２つのブロック１２６ａ、１２６ｂによって構成された第１ブロック１２６によるパーティングライン１４７がシリンダ胴部１４４ａの左右に現れる。なお、図１３において、１４４ｂは鍔部、１４８はゲート跡である。
【００８５】
このように、キャビティの外周を形成する孔が設けられたブロック１２６を複数のブロック１２６ａ、１２６ｂに分割される割り型とすることで、例えば小型シリンダであって、シリンダ胴部の外径よりも大きい外径のルアーロック外筒等の小円筒部を先端に備えた注射器シリンダを、フルホットランナノズルを用いて効果的に成形することができる。
【符号の説明】
【００８６】
２、５０      ホットランナノズル本体
４      スペーサブロック
６      固定側取付板
８      固定側受け板
１２、５３      ゲートブロック
１４、５２      ホットランナノズル
１６、１１６      コア
１６ａ      コア本体部
１６ｂ      コア基部
１６ｃ      被保持部
１６ｄ      コア先端部
１７      コア支持部
１８      固定側型板
２２      押出し部材
２４      可動側型板
２６，１２６      第１型ブロック
１２６ａ，１２６ｂ      ブロック（第１型ブロック）
２６ａ      貫通穴
２８ａ，１２８ａ      胴部成形用キャビティ
２８ｂ，１２８ｂ      鍔部成形用キャビティ
２８ｃ，１２８ｃ      注射針装着用円筒部成形用キャビティ
１２８ｄ      小円筒部成形用キャビティ
３０，１３０      可動側受け板
３４，１３４      可動側取付板
３６，１３６      第２型ブロック
３６ａ      窪み
４４，１４４      シリンダ
４４ａ，１４４ｂ      シリンダ鍔部
１４４ａ      シリンダ胴部
１５４      カム
１６０      割り型押さえ部材
【図１】
0006615040.tif 000002
【図２】
0006615040.tif 000003
【図３】
0006615040.tif 000004
【図４】
0006615040.tif 000005
【図５】
0006615040.tif 000006
【図６】
0006615040.tif 000007
【図７】
0006615040.tif 000008
【図８】
0006615040.tif 000009
【図９】
0006615040.tif 000010
【図１０】
0006615040.tif 000011
【図１１】
0006615040.tif 000012
【図１２】
0006615040.tif 000013
【図１３】
0006615040.tif 000014